(57)【要約】【課題】インターネット上で所定の手続きを行う際に、手続きを行ったものに対して、異なる付加価値を有するサービスを提供することが可能なサービス提供方法およびシステムを提供する。【解決手段】ＰＣ端末１０からサービス提供サーバ３０にログインし、本来の手続を行った後、携帯端末２０のアドレスを送信すると、パスワード発行部３２が付加サービスを利用するためのパスコードを発行し、コンテンツディレクトリと共にパスコード管理テーブル３３に記録する。一方、データ制御部３１は、サービス提供サーバのＵＲＬを携帯端末２０に通知すると共に、パスコードをＰＣ端末１０に通知する。受け取ったＵＲＬを利用して、携帯端末２０からサービス提供サーバ３０にアクセスし、パスコードを送信すると、パスコード認証部３４が認証を行う。正しく認証されたら、対応するコンテンツがコンテンツ格納部４０から抽出されて携帯端末２０に送信される。【選択図】　図１
2004133855.tif 000002
【特許請求の範囲】
【請求項１】
サービスの手続きを行う手続端末とサービスの提供を受けるサービス享受端末がネットワークを介してサービス提供サーバに接続されており、手続端末において行った手続きに基づいてサービス享受端末でサービスの提供を受ける方法であって、
前記手続端末から前記サービス提供サーバにアクセスして本来のサービスである本サービスの手続き処理を行う段階と、
前記本サービス手続き処理の終了後に、前記手続端末から、付加サービスの提供を受けるサービス享受端末のアドレスを、提供を受けるサービスを特定するサービス特定情報と共に、前記サービス提供サーバに送信する段階と、
前記サービス特定情報で特定されるサービスにパスコードを発行する段階と、前記送信されたアドレスで特定されるサービス享受端末に、前記サービス提供サーバのアドレスを送信する段階と、
前記発行されたパスコードを、前記手続端末に送信する段階と、
前記サーバのアドレスを受信したサービス享受端末から前記サービス提供サーバにアクセスしてパスコードを送信する段階と、
前記サービス提供サーバが受信したパスコードを照合して、正しいパスコードである場合に、前記サービス享受端末にサービスの提供を行う段階と、
を有することを特徴とするサービス提供方法。
【請求項２】
前記サービス享受端末は、前記サービス提供サーバにアクセスする際に、自身の機種情報を送信し、
前記サービス提供サーバは、前記機種情報と前記サービス特定情報に基づいて、機種別のサービスを特定して、当該サービスを前記サービス享受端末に提供するものであることを特徴とする請求項１に記載のサービス提供方法。
【請求項３】
サービスの手続きを行う手続端末と、サービスの提供を受けるサービス享受端末と、前記両端末とネットワークを介して接続されたサービス提供サーバで構成されるサービス提供システムであって、
前記サービス提供サーバは、
データの制御を行うデータ制御部と、
前記手続端末からの要求に基づいてある特定のサービスを受けるためのパスコードの発行を行うパスコード発行部と、
前記発行されたパスコードと提供するサービスを対応付けて管理するパスコード管理テーブルと、
前記サービス享受端末から送信されるパスコードを利用してパスコードの認証を行うパスコード認証部と、を有し、
前記パスコード発行部により発行したパスコードを前記手続端末に送信すると共に、前記パスコード認証部により正しく認証された場合に、対応するサービスを前記サービス享受端末に提供することを特徴とするサービス提供システム。
【発明の詳細な説明】
【０００１】
【産業上の利用分野】
本発明は、ネットワークを利用して、コンテンツのダウンロード等のサービスの提供を行うための技術に関する。
【０００２】
【従来の技術】
コンピュータの普及およびネットワーク技術の発展に伴い、インターネットを介して、データの授受を行うことが増えてきている。最近では、コンピュータ端末からインターネットを介して資料の請求や、商品の購入等様々な手続きが行われている。また、有体物に関する取引だけでなく、コンテンツデータのダウンロードも行われている（例えば、特許文献１参照）。
【０００３】
【特許文献１】
特開２００２−７７３９号公報
【０００４】
【発明が解決しようとする課題】
しかしながら、上記従来のようなサービスでは、資料の請求手続きや商品の購入手続きが単独で行われており、消費者に対して商品の魅力以外に手続きを行わせるための訴求力が無かった。
【０００５】
上記のような点に鑑み、本発明は、インターネット上で所定の手続きを行う際に、手続きを行ったものに対して、異なる付加価値を有するサービスを提供することが可能なサービス提供方法およびシステムを提供することを課題とする。
【０００６】
【課題を解決するための手段】
上記課題を解決するため、本発明では、サービスの手続きを行う手続端末とサービスの提供を受けるサービス享受端末がネットワークを介してサービス提供サーバに接続されており、手続端末において行った手続きに基づいてサービス享受端末でサービスの提供を受ける方法として、前記手続端末から前記サービス提供サーバにアクセスして本来のサービスである本サービスの手続き処理を行う段階、前記本サービス手続き処理の終了後に、前記手続端末から、付加サービスの提供を受けるサービス享受端末のアドレスを、提供を受けるサービスを特定するサービス特定情報と共に、前記サービス提供サーバに送信する段階、前記サービス特定情報で特定されるサービスにパスコードを発行する段階、前記送信されたアドレスで特定されるサービス享受端末に、前記サービス提供サーバのアドレスを送信する段階、前記発行されたパスコードを、前記手続端末に送信する段階、前記サーバのアドレスを受信したサービス享受端末から前記サービス提供サーバにアクセスしてパスコードを送信する段階、前記サービス提供サーバが受信したパスコードを照合して、正しいパスコードである場合に、前記サービス享受端末にサービスの提供を行う段階を実行するようにしたことを特徴とする。
【０００７】
本発明によれば、まず、サービス提供サーバに対して、ＰＣ等の本手続を行う手続端末からアクセスした後、本手続を行うと共に付加サービスに関する手続を行ってパスコードを発行し、サービス提供サーバのアドレスを携帯電話機等のサービス享受端末に送信すると共に、発行したパスコードを手続端末に通知する。その後、サービス享受端末からサービス提供サーバにアクセスすると共にパスコードを送信し、パスコードが正しく認証された場合に、対応するサービスをサービス享受端末に対して提供するようにしたので、インターネット上で所定の手続きを行う際に、手続きを行ったものに加えて、異なる付加価値を有するサービスを提供することが可能となる。
【０００８】
さらに、サービス享受端末が前記サービス提供サーバにアクセスする際に、自身の機種情報を送信し、前記サービス提供サーバは、前記機種情報と前記サービス特定情報に基づいて、機種別のサービスを特定して、当該サービスを前記サービス享受端末に提供するようにした場合は、各機種に最適なサービスを受けることが可能となる。
【０００９】
【発明の実施の形態】
以下、本発明の好適な実施形態について、図面を参照して詳細に説明する。
（システム構成）
図１は、本発明に係るサービス提供システムの一実施形態を示す構成図である。図１において、１０はＰＣ端末、２０は携帯端末、３０はサービス提供サーバ、３１はデータ制御部、３２はパスコード発行部、３３はパスコード管理テーブル、３４はパスコード認証部、４０はコンテンツ格納部、５０はインターネット網である。
【００１０】
ＰＣ端末１０は、本来の手続を行うためのコンピュータ端末であり、ユーザインタフェースに優れ、ＷＷＷサービス利用時における複雑な手続を行うことを可能としており、例えば、デスクトップ型、ノート型その他各種パーソナルコンピュータ等が適用できる。携帯端末２０は、本来の手続に付属される付加サービスを享受する携帯端末であり、ＷＷＷサービスを搭載してＷＷＷサービスの利用は可能となっている。携帯端末２０としては、携帯電話機、ＰＤＡ（Ｐｅｒｓｏｎａｌ　Ｄｉｇｉｔａｌ　Ａｓｓｉｓｔａｎｔ：携帯情報端末）等が利用可能である。ＰＣ端末１０は本来の手続を行うための手続端末、携帯端末２０は付加サービスを受けるためのサービス享受端末として機能することになる。
【００１１】
サービス提供サーバ３０は、ＷＷＷ（Ｗｏｒｌｄ　Ｗｉｄｅ　Ｗｅｂ）サーバ機能、電子メールの送受信を行うメールサーバ機能を備えたサーバコンピュータであり、データ制御部３１、パスコード発行部３２、パスコード管理テーブル３３、パスコード認証部３４を有している。データ制御部３１は、インターネットを介して要求されたＷＷＷサービスに関するデータの送受信および電子メールの送受信を行う機能およびコンテンツ格納部４０内のデータ管理機能を有している。パスコード発行部３２は、ＰＣ端末１０からの要求に応じて付加サービスを受けるためのパスコードを発行する機能を有している。パスコード管理テーブル３３は、パスコード発行部３２により発行されたパスコードを記録・管理するテーブルである。パスコード認証部３４は、サービス享受端末から送信されたパスコードが記録されているパスコードと一致するかどうかの照合を行う機能を有する。
【００１２】
ここで、パスコード管理テーブル３３に格納される情報の一例を図２に示す。図２に示すように、パスコード管理テーブル３３には、パスコード、コンテンツディレクトリ、利用可能回数が記録されている。「パスコード」は、付加サービスの要求をした際に、コンテンツファイルに対して生成されるＩＤである。「コンテンツディレクトリ」は、本実施形態において提供するサービスであるダウンロードの対象となるコンテンツデータを記録したディレクトリであり、ここでは、そのパス名を含めて記録されている。「利用可能回数」は、そのパスコードを利用してサービスを受けることが可能な回数を示しており、１回利用されるごとに１づつ減少される値である。この「利用可能回数」が「０」になった場合は、利用が不可能となる。データ制御部３１、パスコード発行部３２、パスコード管理テーブル３３、パスコード認証部３４の各構成要素は、サービス提供サーバ３０に搭載される専用のソフトウェアプログラムにより実現される。また、パスコード管理テーブル３３に必要な記憶領域は、ハードディスク等の外部記憶装置等に用意される。
【００１３】
コンテンツ格納部４０は、サービス提供用のコンテンツデータを格納するための記憶装置である。コンテンツ格納部には、携帯端末２０において利用するのが最適なコンテンツが記録されている。ここでは、携帯電話の待受画面、着信メロディ、携帯電話で起動する簡易プログラム等がコンテンツとして記録されている。ここで、コンテンツ格納部４０に記録されているデータのディレクトリ構造を図３に示す。図は、携帯コンテンツディレクトリ以下の構造を示している。携帯コンテンツディレクトリの直下には、待受画面ディレクトリ、着信メロディディレクトリ、簡易プログラムディレクトリが設けられている。さらに待受画面ディレクトリの直下には画像内容ごとの画像１、画像２等の各画像ディレクトリが設けられており、各画像ディレクトリには、端末機種別の画像ファイルＡ００１、Ａ００２、Ａ００３・・・および入力画面データが用意されている。なお、図３では省略しているが、着信メロディディレクトリ、簡易プログラムディレクトリ以下にも同様に、内容別のディレクトリおよび端末機種別のファイルが設けられている。ここで、画像ディレクトリを分けるための画像内容とは、見た目は同じである画像を示している。例えば、画像１ディレクトリ内のＡ００１、Ａ００２、Ａ００３、同じ内容であるが、画素数が異なったファイルとなっている。これは、携帯端末の画面の画素数に合わせるためである。なお、画像ファイル名は、端末の機種名と同名としている。そのため、画像ファイルＡ００１は、端末機種がＡ００１の画面に適したサイズ（画素数）となっている。コンテンツ格納部４０はサービス提供サーバ３０に接続されたハードディスク等の外部記憶装置で実現される。インターネット網５０は、インターネットを利用可能な通信回線であり、有線・無線を問わない。
【００１４】
（パスコードの取得）
次に、本手続を行ってパスコードを取得するまでの処理について、図１に示したサービス提供システムの処理動作と共に説明する。図４は、パスコード取得までの概要を示すフローチャートである。まず、ＰＣ端末１０において、ＷＷＷブラウザを起動した後、サービス提供サーバ３０にアクセスしてログインする（ステップＳ１０１）。ログインは会員登録しているものだけが行うことができ、認証情報を入力してサービス提供サーバ３０において認証されることにより許可される。認証情報とは、利用者を認証するための情報であり、利用者ＩＤとパスワードを組み合わせたものが一般的である。指紋認証の場合は、指紋の特徴を示す情報、ＩＣカードを利用した場合は、ＩＣカードから読みこまれた利用者ＩＤとなる。会員登録していないものは、その場で会員登録手続を行って利用者ＩＤを取得した後、ログインすることになる。ログイン後、資料の請求手続や商品の購入手続等の本来のサービスである本サービスを受けるための手続処理を行う（ステップＳ１０２）。この際、各手続には、例えば「この商品をお買い上げ頂くと、○○○をサービスさせて頂きます」、「ただいま資料請求をして頂きますと○○○をプレゼント」のようなメッセージを表示させ、付加サービスである、コンテンツをダウンロードする権利を、本サービスの手続を行わせるためのインセンティブとして利用する。本サービスの手続を終了すると、付加サービスであるコンテンツダウンロードのための画面がＰＣ端末１０に表示される。
【００１５】
ここで、コンテンツダウンロードサービスを利用したい旨の指示を送ると、図５に示すようなメールアドレス入力画面が表示される（ステップＳ１０３）。この際、画面を構成するＨＴＭＬデータには、ダウンロードサービスを行うコンテンツを特定する情報（コンテンツ特定情報）も記録されている。コンテンツ特定情報は、コンテンツを特定することができる情報であれば良いが、本実施形態では、コンテンツが記録されたディレクトリ名としている。図３において、６１ａ〜６１ｃはメールアドレス入力欄、６２ａ〜６２ｃはアドレス送信ボタンである。図３のメールアドレス入力画面では、携帯電話会社別にメールアドレスの入力が可能となっており、Ａ社、Ｂ社、Ｃ社の携帯電話を利用している人は、それぞれ対応するメールアドレス入力欄６１に入力するようになっている。後半のドメイン名に関する部分は表記されており入力を省略できる。また、各社別にコンテンツダウンロードサービスに対応している機種名も表示されており、自身が所有している携帯端末で利用可能であるかどうかを事前に確認することが可能となっている。メールアドレスを入力後、対応するアドレス送信ボタン６２をクリックすると、入力したメールアドレスと共にＨＴＭＬデータに記録されているコンテンツ特定情報が、サービス提供サーバ３０に送信される（ステップＳ１０４）。
【００１６】
続いて、利用者に対してパスコードを発行する（ステップＳ１０５）。具体的には、まず、サービス提供サーバ３０のデータ制御部３１が、送信されたメールアドレスとコンテンツ特定情報をパスコード発行部３２に渡す。パスコード発行部３２では受け取ったメールアドレスとコンテンツ情報を受け取る度に、他と重複しないパスコードを発行し、発行したパスコードと、コンテンツ情報であるコンテンツディレクトリを対応付けてパスコード管理テーブルに記録する。また、発行したパスコードとメールアドレスを対応づけてデータ制御部３１に渡す。データ制御部３１では、受け取ったメールアドレスで特定される携帯端末２０に、サービス提供サーバ３０が開設しているサイトのＵＲＬとコンテンツディレクトリを電子メールとして送信する（ステップＳ１０６）。このとき、携帯端末２０に表示される画面の様子を図８（ａ）に示す。携帯端末２０に電子メールを送信したら、データ制御部３１は、定型文にパスコードを付加してＨＴＭＬの画面データを作成し、ＰＣ端末１０に送信する（ステップＳ１０７）。このとき、ＰＣ端末１０に表示される画面の様子を図６に示す。利用者はＰＣ端末１０においてパスコードを知ることができる。
【００１７】
（パスコードを利用したコンテンツの取得）
次に、パスコードを利用したコンテンツ取得の概要について、図１に示したサービス提供システムの処理動作と共に説明する。図７は、本発明に係るサービス提供方法の概要を示すフローチャートである。まず、携帯端末２０からサービス提供サーバ３０にアクセスする（ステップＳ２０１）。具体的には、上記ステップＳ１０６においてサービス提供サーバ３０から電子メールとして送信されたＵＲＬにアクセスする。ＵＲＬには、サービス提供サーバ３０が管理するコンテンツ格納部４０内のコンテンツディレクトリまで指定されているので、サービス提供サーバ３０では、コンテンツ格納部４０内の指定ディレクトリの入力画面データを抽出して携帯端末２０に提示する（ステップＳ２０２）。ここで、携帯端末２０に表示されるパスコード入力画面の様子を図８（ｂ）に示す。この画面でパスコードを入力してダウンロードボタンをクリックすると、携帯端末２０からサービス提供サーバ３０へはコンテンツディレクトリ、パスコード、端末機種情報およびダウンロード命令が送信される（ステップＳ２０３）。
【００１８】
続いて、送信されたパスコードの認証を行う（ステップＳ２０４）。具体的には、データ制御部３１が、パスコードとコンテンツ情報をパスコード認証部３４に渡し、パスコード認証部３４が、受け取ったパスコードとコンテンツ情報でパスコード管理テーブル３３を参照することにより正当なパスコードであるかどうかの認証を行う。正しく認証が行われたら、パスコード認証部３４は対応するコンテンツディレクトリをデータ制御部３１に渡す。一方、データ制御部３１では、受信した情報のうちの端末機種名をファイル名として、パスコード認証部３４から受け取ったコンテンツディレクトリに付加し、コンテンツ格納部４０から、特定されたコンテンツファイルを抽出した後、携帯端末２０に送信する。これにより、携帯端末２０では、端末機種に最適なコンテンツを取得することができる。コンテンツ格納部４０に該当するファイルが存在しない場合には、携帯２０に対して、その端末機種では、このサービスが利用できない旨の情報を通知する。また、認証が正しく行われなかった場合には、パスコードが間違っている旨の情報を携帯端末２０に通知する。
【００１９】
以上、本発明の好適な実施形態について説明したが、本発明は上記実施形態に限定されず種々の変形が可能である。例えば、上記実施形態では、本来の手続を行う手続端末としてＰＣ端末、付加サービスを受けるサービス享受端末として携帯端末を利用したが、手続端末として携帯端末を利用し、サービス享受端末としてＰＣ端末を利用するようにしても良い。ただし、通常は、比較的複雑な操作を行う手続端末としてはユーザーインターフェイスに優れたＰＣ端末が好ましい。
【００２０】
また、上記実施形態では、利用可能回数を設定して１回利用するごとに、その値を減少させていくようにしたが、この利用可能回数を１に設定しておけば、各パスコードは１回しか利用できず、いわゆるワンタイムパスワードとして機能することになる。
【００２１】
【発明の効果】
以上、説明したように本発明によれば、手続端末からサービス提供サーバにアクセスして本来のサービスである本サービスの手続き処理を行い、本サービス手続き処理の終了後に、手続端末から、付加サービスの提供を受けるサービス享受端末のアドレスを、提供を受けるサービスを特定するサービス特定情報と共に、サービス提供サーバに送信し、サービス特定情報で特定されるサービスにパスコードを発行し、送信されたアドレスで特定されるサービス享受端末に、サービス提供サーバのアドレスを送信し、発行されたパスコードを、手続端末に送信し、サーバのアドレスを受信したサービス享受端末からサービス提供サーバにアクセスしてパスコードを送信し、サービス提供サーバが受信したパスコードを照合して、正しいパスコードである場合に、サービス享受端末にサービスの提供を行うようにしたので、インターネット上で所定の手続きを行う際に、手続きを行ったものに加えて、異なる付加価値を有するサービスを提供することが可能となるという効果を奏する。
【００２２】
また、サービス享受端末がサービス提供サーバにアクセスする際に、自身の機種情報を送信し、サービス提供サーバは、機種情報と前記サービス特定情報に基づいて、機種別のサービスを特定して、そのサービスをサービス享受端末に提供するようにすることにより、各機種に最適なサービスを受けることが可能となるという効果も奏する。
【図面の簡単な説明】
【図１】本発明に係るサービス提供システムの一実施形態を示す構成図である。
【図２】パスコード管理テーブル３３に記録された情報の一例を示す図である。
【図３】コンテンツ格納部４０内のディレクトリ構造を示す図である。
【図４】パスコード取得までの概要を示すフローチャートである。
【図５】メールアドレス入力画面を示す図である。
【図６】パスコード表示画面を示す図である。
【図７】コンテンツ入手までの概要を示すフローチャートである。
【図８】携帯端末２０の表示される画面を示す図である。
【符号の説明】
１０・・・ＰＣ端末
２０・・・携帯端末
３０・・・サービス提供サーバ
３１・・・データ制御部
３２・・・パスコード発行部
３３・・・パスコード管理テーブル
３４・・・パスコード認証部
４０・・・コンテンツ格納部
５０・・・インターネット網
【図１】
2004133855.tif 000003
【図２】
2004133855.tif 000004
【図３】
2004133855.tif 000005
【図４】
2004133855.tif 000006
【図５】
2004133855.tif 000007
【図６】
2004133855.tif 000008
【図７】
2004133855.tif 000009
【図８】
2004133855.tif 000010